(57)【要約】【課題】本発明は感染防止構造の尿道挿入用カテーテルに関し、補強帯引出入位置とホースの着脱位置が同じであるため発生する汚染が防止されるように、主管とホースを先ず結合した状態で、主管の一側に形成された別途の補強帯入出管を通して補強帯を引出入することによって、小便が主管とホースの結合時任意に漏れることが防止されるようにした感染防止構造の尿道挿入用カテーテルを提供する。【解決手段】本発明を適用すれば、先ず尿道挿入管とホースを結合させた状態で、補強帯を尿道挿入管の内部に挿入し引出すと、小便貯蔵嚢のセッティングが完了するため、小便貯蔵嚢設置時間が減少して、医療スタッフの手間が省け、小便が小便貯蔵嚢以外の外部に任意に漏れることがないため、医療スタッフの汚染と感染事故を防止することができる長所がある。【選択図】図２
2014236951.tif 000002
【特許請求の範囲】
【請求項１】
小便を貯蔵し、一端にホースが連結された小便貯蔵嚢と、
尿道に挿入されて小便を前記小便貯蔵嚢に排出するために案内する尿道挿入管と、
前記尿道挿入管を患者の尿道内に容易に挿入するための補強帯と、
前記尿道挿入管の後端に形成され、前記ホースを連結するための主管と、前端のバルーンを膨張するための水注入器を連結するための枝管と、前記補強帯を前記尿道挿入管に対して入出させるための補強帯入出管からなる対Ｙ字連結管と、
を備え、
前記主管と前記ホースが一体型で構成され結合した状態で、前記補強帯入出管を通して前記補強帯を引き出すことによって、前記主管と前記ホースの結合時に小便が漏れることを防止することができる、感染防止構造の小児用尿道挿入用カテーテル。
【請求項２】
前記補強帯入出管は、その内部に、前記補強帯が前記尿道挿入管から引き出される時、小便が投入口方向に流出しないようにするチェックバルブ、またはチェックバルブ機能を行うものがさらに含まれる、請求項１に記載の感染防止構造の小児用尿道挿入用カテーテル。
【請求項３】
前記補強帯入出管の投入口の全部または一部は常時狭窄状態であって、前記補強帯が前記尿道挿入管の方向へ挿入される時には、前記補強帯が前記投入口を広げながら挿入され、前記補強帯が引出された際は前記投入口が閉じられることで、小便が前記投入口を広げることができずに流出しなくなる、請求項１に記載の感染防止構造の小児用尿道挿入用カテーテル。
【請求項４】
前記補強帯入出管は、前記チェックバルブまたはチェックバルブ機能を行うものを介して漏れることを遮断するためのプラグをさらに含む、請求項２に記載の感染防止構造の小児用尿道挿入用カテーテル。
【発明の詳細な説明】
【技術分野】
【０００１】
本発明は、成人に比べて尿道管が狭い小児に用いられる感染防止構造の小児用尿道挿入用カテーテルに関し、より詳細にはカテーテルを尿道に挿入後、主管とホースの結合時に発生する汚染や感染が防止されるように、主管とホースをまず結合した状態で主管の一側に形成された別途の補強帯入出管を介して補強帯を引出入することによって、小便が主管とホースの結合時任意に漏れることを防止し、さらにフレキシブル（Ｆｌｅｘｉｂｌｅ）な小児用カテーテルの挿入を容易にする感染防止構造の尿道挿入用カテーテルを提供する。
【背景技術】
【０００２】
周知のように、カテーテルはフレキシブルな微細管で、静脈や尿道及び胸部などに挿入される管である。尿道に挿入されるカテーテルの場合、患者の尿道に挿入されて、小便を外部に排出する機能を行う。
【０００３】
従来の小児用尿道挿入用カテーテル２は、図１に示したように、動くのが難しい患者の尿道に挿入されて、小便を小便貯蔵嚢２０に排出するために案内する構成で、尿道に挿入されるようにフレキシブルな微細管の尿道挿入管４が構成され、その尿道挿入管４の前端所定部には、小便が尿道挿入管４の内部に流入できるように通孔６と尿道挿入管の前端部を膀胱内に維持するためのバルーン４０が形成される。
【０００４】
前記尿道挿入管４の下段にはＹ字連結管８が連通されるように備えられ、Ｙ字連結管８は、主管１０と枝管１６で構成され、枝管１６は、その終端に枝管連結端１８が備えられて前端のバルーン４０を膨張するための水注入器（または、バルーン膨張器）等と結合され、前記主管１０には小便貯蔵嚢２０と連結されたホース２２の結合前端２８が結合できる挿入孔１２が形成され、その挿入孔１２の内周縁には係止段１４が形成される。
【０００５】
前記小便貯蔵嚢２０は、流入口と排出口が形成された合成樹脂製袋であり、患者の尿道から排出された小便を貯蔵するための手段であり、排出口に形成された排出管２４と、流入口に連結されたホース２２を各々開閉断続する開閉断続部材２６が備えられ、ホース２２の結合前端２８には別途のコネクター及びキャップ３０が結合して、汚染を防止することになる。
【０００６】
尿道には前記尿道挿入管４が挿入されるが、患者が小児であるため、尿道管の狭さに起因して、尿道挿入管４はフレキシブルなものであるため、患者の尿道内部で挿入することが不可能であった。従って、尿道挿入管４の剛性を高めて患者の尿道内に容易に挿入されるように補強帯３２を前記主管１０の挿入孔１２を通して尿道挿入管４内に凹入した状態で尿道に尿道挿入管４を挿入し、以後前記補強帯３２を尿道挿入管４から引出し、その挿入孔１２に前記ホース２２の結合前端２８を結合させて、尿道挿入管４と小便貯蔵嚢２０を連通させるようにする。
【発明の概要】
【発明が解決しようとする課題】
【０００７】
しかしながら、このような従来の小児用尿道挿入用カテーテル２は、患者の尿道に尿道挿入管４が挿入された後、補強帯３２を引出し、その挿入孔１２にまたホース２２の結合前端２８を結合させる過程中に汚染危険にさらされて、患者に病原菌を感染させる問題があった。従来技術は、補強帯３２を用いなければならない理由から、感染の危険性にもかかわらず、別に分離したホースとカテーテルを結合して用いる方法しかなかった。
【０００８】
本発明は、上記従来技術の事情を勘案して成し遂げられたもので、補強帯引出入位置とホースの着脱位置が同じことから発生する汚染が防止されるように、主管とホースを一体型で結合した状態で、主管の一側に形成された別途の補強帯入出管を通して補強帯を引出入することによって、フレキシブルな小児用カテーテルの尿道挿入を容易にすると共に、小便が主管とホースの結合時任意に漏れると、それに伴う汚染や感染が防止されるようにした感染防止構造の尿道挿入用カテーテルを提供することにその目的がある。
【課題を解決するための手段】
【０００９】
上記目的を達成するために、本発明の好ましい実施形態によると、小便を貯蔵し、一端にホース２２が連結された小便貯蔵嚢２０と、尿道に挿入されて小便を小便貯蔵嚢２０に排出するために案内する尿道挿入管４と、尿道挿入管の剛性を高めて患者の尿道内に容易に挿入するための補強帯３２と、前記尿道挿入管４の後端に形成され、ホース２２を連結するための主管１０４と、前端のバルーン４０を膨張するための水注入器（または、バルーン膨張器）を連結するための枝管１０６と、補強帯３２を尿道挿入管４に入出させるための補強帯入出管１０８からなる対Ｙ字連結管１０２で構成されており、主管１０４とホース２２を結合した状態で前記補強帯入出管１０８を通して補強帯３２を引出入することによって、主管１０とホース２２の結合時小便に細菌が浸透することを防止することができるようにしたことを特徴とする感染防止構造の尿道挿入カテーテルが提供される。
【００１０】
好ましくは、前記主管１０４とホース２２は一体で連結され、主管の一側に補強帯が引出可能であることを特徴とする感染防止構造の尿道挿入用カテーテルが提供される。
【００１１】
好ましくは、前記補強帯入出管１０８の内部に補強帯３２は尿道挿入管４の反対方向に引き出す時小便が投入口１１０方向に流出する過程で細菌が感染しないようにするチェックバルブ１１２−１またはチェクバルブ機能を行うものがさらに含まれたことを特徴とする感染防止構造の尿道挿入用カテーテルが提供される。
【００１２】
好ましくは、前記補強帯３２を尿道挿入管４から引出し後、投入口１１０を介した細菌感染を防止するために、投入口１１０を塞ぐプラグ１１２−２がさらに含まれたことを特徴とする感染防止構造の尿道挿入用カテーテルが提供される。
【００１３】
好ましくは、前記補強帯入出管１０８は、前記投入口１１０の一部、または全部が常時狭窄状態になって、補強帯３２は、尿道挿入管４の方向への挿入時に投入口１１０を広げながら挿入され、小便は投入口１１０を広げることができなく流出しないことを特徴とする感染防止構造の尿道挿入用カテーテルが提供される。
【発明の効果】
【００１４】
本発明に係る感染防止構造の尿道挿入用カテーテルは、先ず尿道挿入管とホースが結合しており、補強帯入出管を通して補強帯が尿道挿入管の内部に挿入されている状態で医療スタッフに供給され、医療スタッフは、この尿道挿入管を尿道に挿入した後、補強帯を引出すと、小便貯蔵嚢のセッティングが完了するため、小便貯蔵嚢設置時間が減少して、医療スタッフの手間が省けて、その過程で小便が小便貯蔵嚢以外の外部に任意に漏れて発生される汚染及び感染を防止して、患者及び医療スタッフの汚染と感染事故を防止することができる長所がある。
【図面の簡単な説明】
【００１５】
【図１】従来の実施形態に係る尿道挿入用カテーテルを図示した斜視図である。
【図２】本発明の一実施形態に係る感染防止構造の尿道挿入用カテーテルを図示した斜視図である。
【図３】本発明の一実施形態に係る感染防止構造の尿道挿入用カテーテルの対Ｙ字連結管を図示した要部拡大斜視図である。
【図４】本発明の一実施形態に係る感染防止構造の尿道挿入用カテーテルに対する補強帯引入状態を図示した側断面図である。
【図５】本発明の一実施形態に係る感染防止構造の尿道挿入用カテーテルに対する補強帯引出し状態を示した側断面図である。
【発明を実施するための形態】
【００１６】
以下、本発明について図面を参照して詳細に説明する。
【００１７】
図２は、本発明の一実施形態に係る感染防止構造の尿道挿入用カテーテルを図示した斜視図であって、図３は、本発明の一実施形態に係る感染防止構造の尿道挿入用カテーテルの対Ｙ字連結管を示した要部拡大斜視図である。
【００１８】
これを参照すると、本発明の一実施形態に係る感染防止構造の尿道挿入用カテーテル１００は、補強帯引出入位置とホースの着脱位置が同じことから発生する汚染が防止されるように、主管とホースを一体で結合した状態で主管の一側に形成された別途の補強帯入出管を通して補強帯を尿道挿入管の内部に挿入されている状態で尿道に挿入した後、補強帯を引き出すことによって主管とホースの結合時小便が任意に漏れることが防止されるようにした尿道挿入用カテーテルである。
【００１９】
より詳細には、本発明の一実施形態に係る感染防止構造の尿道挿入用カテーテル１００は、尿道に挿入されて、小便を小便貯蔵嚢２０に排出するために案内する尿道挿入管４と、尿道挿入管４の後端に一体で備えられた対Ｙ字連結管１０２からなる。
【００２０】
尿道挿入管４の前端には、尿道の小便が尿道挿入管４に流入できるように通孔６が形成され、後端には尿道挿入管４の内部と連通した対Ｙ字連結管１０２が形成される。
【００２１】
前記対Ｙ字連結管１０２は、ホース２２を連結するための主管１０４と、前端のバルーン４０を膨張するための水注入器（または、バルーン膨張器とも称す）を連結するための枝管１０６と、補強帯３２を尿道挿入管４に入出させるための補強帯入出管１０８で構成される。
【００２２】
従って、前記主管１０４とホース２２を先に結合した状態で、補強帯入出管を通して補強帯が尿道挿入管の内部に挿入されている状態で、医療スタッフに供給され、医療スタッフはこれを尿道に挿入した後、前記補強帯入出管１０８を通して補強帯３２を引き出すことによって、小便が主管１０４とホース２２の結合時任意に漏れることを防止することができる。
【００２３】
即ち、本発明の一実施形態に係る感染防止構造の尿道挿入用カテーテル１００は、補強帯３２が引出入される位置と、ホース２２が結合する位置が互いに異なり、前記主管１０４とホース２２を一体で結合した状態で、前記補強帯入出管１０８を通して補強帯３２を尿道挿入管４内に挿入し、その尿道挿入管４を患者の尿道に挿入した後、前記補強帯３２を引出すと、尿道挿入管４を通して排出された小便は、主管１０４を通してホース２２を通過することになるため、外部に漏れることがない。
【００２４】
一方、前記補強帯３２を引出すと、尿道挿入管４を通して排出された小便は、主管１０４を通してホース２２を通過し、小便が前記補強帯入出管１０８を通して外部に漏れないように構成されなければならない。
【００２５】
このために、前記補強帯入出管１０８は、その内部に補強帯３２は引出入が可能で、小便は投入口１１０方向に流出しないようにするチェックバルブ１１２−１がさらに含まれてもよい。
【００２６】
ここで、チェックバルブ１１２−１は、別途の構成からなるチェックバルブ１１２−１であってもよいが、前記補強帯入出管１０８がチェックバルブの機能を行うのも可能である。
【００２７】
即ち、前記補強帯入出管１０８は、前記投入口１１０が常時狭窄状態になって、補強帯３２は尿道挿入管４方向への挿入時に投入口１１０を広げながら挿入されることができ、前記尿道挿入管４を通して排出される小便は、その圧力で前記投入口１１０を広げることができずに流出しなくなるチェックバルブの機能を行うこともできる。
【００２８】
ここで、チェックバルブ１１２−１、またはチェックバルブの機能を行うものを介して発生可能な少量の漏れを完璧に遮断するために、補強帯２１を除去した後、投入口１１０を塞ぐプラグ１１２−２がさらに含まれてもよい。
【００２９】
上記構成の本発明の一実施形態に係る感染防止構造の尿道挿入用カテーテルの機能と作用を、添付図面を参照して詳細に説明する。
【００３０】
図４は、本発明の一実施形態に係る感染防止構造の尿道挿入用カテーテルに対する補強帯引入状態を図示した側断面図であって、図５は、本発明の一実施形態に係る感染防止構造の尿道挿入用カテーテルに対する補強帯引出し状態を示した側断面図である。
【００３１】
先ず、本発明の一実施形態に係る感染防止構造の尿道挿入用カテーテル１００と、一端に小便貯蔵嚢２０が結合したホース２２が互いに分離した状態で、対Ｙ字連結管１０２、即ち主管１０とホース２２を結合させる。
【００３２】
その状態で、前記対Ｙ字連結管１０２中所定部に形成された補強帯入出管１０８に前記補強帯３２を挿入して、その補強帯３２が前記尿道挿入管４内に挿入されるようにする。
【００３３】
この時、前記補強帯入出管１０８は、前記投入口１１０の全部、または一部が常時狭窄状態になって、補強帯３２は尿道挿入管４方向への挿入時に投入口１１０を広げながら挿入されることができる。
【００３４】
このような状態で、医療スタッフに供給すると、前記尿道挿入管４を患者の尿道に挿入し、枝管連結端１８を通して水を注入してバルーン４０を膨張させて、尿道挿入管４が体外に抜けないようにする。
【００３５】
前記尿道挿入管４が、患者の尿道に完全に挿入された状態では、尿道挿入管４の内部を通して小便が流通されるべきであるため、前記補強帯３２を前記補強帯入出管１０８を通して外部に引出す。
【００３６】
すると、前記補強帯入出管１０８は、常時狭窄状態を維持するため、前記尿道挿入管４を通して排出された小便は、主管１０４を通してホース２２を通過して、小便貯蔵嚢２０に集まることになり、小便はその圧力では前記補強帯入出管１０８の投入口１１０を広げることができないため、流出しなくなるチェックバルブ機能を行う。
【００３７】
また、チェックバルブ１１２−１、またはチェックバルブの機能を行うものに加えて、投入口１１０にプラグ１１２−２を挿入してチェックバルブを介して発生しうる少量の漏れを遮断する機能も行う。
【００３８】
従って、本発明の実施形態に係る感染防止構造の尿道挿入用カテーテル１００は、先ず尿道挿入管４とホース２２を結合させた状態で、補強帯３２を尿道挿入管４の外部に引出すことになるので、補強帯引出し後はじめて尿道挿入管４とホース２２を結合させることができる従来の技術に比べて非常に速かに小便貯蔵嚢２０をセッティングできるため、医療スタッフの手間が省け、また尿道挿入管４とホース２２を結合する過程で、小便が外部に任意に漏れて発生しうる患者及び医療スタッフの汚染と感染事故を防止することができる。
【００３９】
一方、本発明の実施形態に係る感染防止構造の尿道挿入用カテーテルは、単に前記実施形態に限定されるのではなく、その技術的要旨を逸脱しない範囲内で多様な変更が可能である。
【符号の説明】
【００４０】
２        尿道カテーテル
４        尿道挿入管
６        通孔
８        Ｙ字連結管
１０      主管
１２      挿入孔
１６      枝管
１８      枝管連結端
２０      小便貯蔵嚢
２２      ホース
１０８      補強帯入出管
４０      バルーン
１００      尿道カテーテル
１０２      対Ｙ字連結管
１０４      主管
１１０      投入口
１０６      枝管
１１２-１      チェックバルブ
１１２-２      プラグ
【図１】
2014236951.tif 000003
【図２】
2014236951.tif 000004
【図３】
2014236951.tif 000005
【図４】
2014236951.tif 000006
【図５】
2014236951.tif 000007
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
小便を貯蔵し、一端に導尿用のホースが連結された小便貯蔵嚢と、
尿道に挿入されて小便を前記小便貯蔵嚢に排出するために案内する尿道挿入管と、
前記尿道挿入管を患者の尿道内に容易に挿入するための補強帯と、
前記尿道挿入管の後端に形成され、前記導尿用のホースを連結するための主管と、前端のバルーンを膨張するための水注入器を連結するための枝管と、前記主管とは別に設けられ、前記補強帯を前記尿道挿入管に対して入出させるための補強帯入出管からなる対Ｙ字連結管と、
を備え、
前記主管と前記導尿用のホースが一体型で構成され結合した状態で、前記補強帯入出管を通して前記補強帯を引き出すことができる、小児用尿道挿入用カテーテル。
【請求項２】
前記補強帯入出管は、その内部に、前記補強帯が前記尿道挿入管から引き出される時、小便が投入口方向に流出しないようにするチェックバルブ、またはチェックバルブ機能を行うものがさらに含まれる、請求項１に記載の小児用尿道挿入用カテーテル。
【請求項３】
前記補強帯入出管の投入口の全部または一部は常時狭窄状態であって、前記補強帯が前記尿道挿入管の方向へ挿入される時には、前記補強帯が前記投入口を広げながら挿入され、前記補強帯が引出された際は前記投入口が閉じられることで、小便が前記投入口を広げることができずに流出しなくなる、請求項１に記載の小児用尿道挿入用カテーテル。
【請求項４】
前記補強帯入出管は、前記チェックバルブまたはチェックバルブ機能を行うものを介して漏れることを遮断するためのプラグをさらに含む、請求項２に記載の小児用尿道挿入用カテーテル。